(57)【要約】【課題】店内に陳列したタブレット携帯端末機を不正者が店外に持ち出そうとしたとき、警報の発生により、盗難を防止するシステムを提供する。【解決手段】機器側装置(2)と店舗側装置(5)の相互の所定間隔距離を検出するワイヤレスの距離検知手段(18)により機器側装置が所定許容領域から持ち出されたとき、警報を発生する盗難防止システムであり、タブレット携帯端末機(1)を内装するケーシングに前記機器側装置を設けており、前記ケーシング(3)は、タブレット携帯端末機(1)をサンドイッチ状に挟んだ状態で着脱自在に固着される基盤部(3a)と額縁状カバー部(3b)の相互に接離検知手段(17)を設け、前記基盤部と額縁状カバー部が相互に離反させられたとき、警報手段により警報を発生させるように構成されている。【選択図】図２
2018005935.tif 000002
【特許請求の範囲】
【請求項１】
陳列状態から顧客が手にとって操作可能な電気機器としてのタブレット携帯端末機(1)をケーシング(3)に内装した状態で店舗内に移動自在に配置する構成において、
前記ケーシング(3)に内装される機器側装置(2)と、店舗の所定個所に設置される店舗側装置(5)と、前記機器側装置と店舗側装置の所定間隔距離を検出するワイヤレスの距離検知手段(18)と、前記所定間隔距離の検出によりタブレット携帯端末機(1)と共に機器側装置(2)が所定許容領域から持ち出されたと判定したとき警報を発生する警報手段(16)を設けて成る盗難防止システムであり、
前記ケーシング(3)は、前記タブレット携帯端末機(1)を挟んでサンドイッチ状に取着する背面側の基盤部(3a)と正面側の額縁状カバー部(3b)を相互に着脱自在に固着し、前記基盤部(3a)と額縁状カバー部(3b)の相互に接離検知手段(17)を設けており、
前記接離検知手段(17)は、前記基盤部(3a)と額縁状カバー部(3b)が相互に離反させられたとき、該離反を検出することにより、前記警報手段(16)により警報を発生させるように構成して成ることを特徴とする陳列電気機器の盗難防止システム。
【請求項２】
前記接離検知手段(17)は、基盤部(3a)の内側に設けられたプッシュボタン式の接離センサ(25)により構成されており、
前記接離(25)センサは、基盤部(3a)に額縁状カバー(3b)を合掌させたときプッシュボタン(25a)を押し込むことによりＯＦＦとされ、基盤部(3a)から額縁状カバー(3b)を離反させたときプッシュボタン(25a)をスプリングで突出方向に移動することによりＯＮとされ、ＯＮのとき検知信号を出力することにより前記警報手段(16)により警報を発生させるように構成して成ることを特徴とする請求項１に記載の陳列電気機器の盗難防止システム。
【請求項３】
前記機器側装置(2)は、前記距離検知手段(18)の作動開始及び作動停止を可能にする距離検知ＯＮ／ＯＦＦ手段(28)と、前記接離検知手段(17)の作動開始及び作動停止を可能にする接離検知ＯＮ／ＯＦＦ手段(26)を設けており、
前記距離検知ＯＮ／ＯＦＦ手段(28)及び接離検知ＯＮ／ＯＦＦ手段(26)を前記機器側装置(2)から離れた位置で遠隔操作可能とするワイヤレスのリモートコントローラ(6)を備えて成ることを特徴とする請求項１又は２に記載の陳列電気機器の盗難防止システム。
【請求項４】
前記機器側装置(2)は、ケーシング(3)の外側表面に照らされる光の明暗を検知する明暗センサ(29)を備えた明暗検知手段(19)を設けており、前記明暗センサ(29)が「暗」を検出したとき前記警報手段(16)により警報を発生させるように構成して成ることを特徴とする請求項１、２又は３に記載の陳列電気機器の盗難防止システム。
【発明の詳細な説明】
【技術分野】
【０００１】
本発明は、店舗において電気機器を顧客が手にとって自由に操作できるように陳列した状態で、不正者が電気機器を店外に持ち出そうとしたとき、警報を発生させることにより、盗難を防止するシステムに関する。
【背景技術】
【０００２】
近年、ワイヤレス通信機能を具備したタブレット携帯端末機と称される携帯端末機が普及しつつあり、例えば、飲食店等において、顧客は、各テーブルに応じて陳列されたタブレット携帯端末機により、商品メニューを参照すると共に、所望の商品を発注することが行われている。また、家電量販店等においては、顧客が商品を自由に手にとって操作できる展示サンプルとして陳列されている。
【０００３】
前記タブレット端末機は、盗難防止のため、繋留ワイヤーによりテーブルや棚等の固定部位に繋留されている。しかしながら、繋留ワイヤーが雑然と連結されているので、陳列雰囲気の美観を損ない、しかも、顧客の操作を妨げるという問題がある。
【０００４】
そこで、電気機器に繋留ワイヤー等の索条を取付けることなく、該電気機器を自由に移動できるように構成することが望ましい。しかしながら、その場合、不正者が電気機器を店外に持ち出すことが可能となるので、盗難に遭遇するという問題がある。
【０００５】
このような盗難を防止するため、電気機器に機器側装置を結合し、店舗の所定個所に店舗側装置を設置し、前記機器側装置と店舗側装置の相互に両装置の所定間隔距離を検出するワイヤレスの距離検知手段を構成することにより、前記所定間隔距離を検出したとき、前記電気機器と共に機器側装置が所定許容領域から持ち出されたと判定し、警報を発生するように構成した盗難防止システムが提案されている。
【先行技術文献】
【特許文献】
【０００６】
【特許文献１】特許第５２８０５０６号公報
【発明の概要】
【発明が解決しようとする課題】
【０００７】
上記特許文献の盗難防止システムによれば、電気機器は、繋留ワイヤー等の索条により拘束されておらず、自由に移動可能であるから、例えば、飲食店等におけるメニューを表示するタブレット携帯端末機の場合、テーブルを囲む複数人の顧客に手渡しながら操作することができる利点がある。そして、不正者が電気機器を店外に持ち出そうとしたときは、前記ワイヤレスの距離検知手段により検知され、警報を発生することにより、盗難を防止できる利点がある。
【０００８】
前記ワイヤレスの距離検知手段は、機器側装置と店舗側装置の一方に設けた発信機から発信される信号を他方に設けた受信機により受信するように構成することができ、例えば、店舗側装置を所定許容領域の境界位置等の盗難危険領域に設置することにより盗難防止システムを構築する。この場合、機器側装置が前記盗難危険領域に移動させられ、受信機が発信機に近づくと、受信機が発信機の信号を受信することにより、所定間隔距離を検出し、これを異常と判定して、警報を発生することにより盗難を防止する。
【０００９】
或いは、前記ワイヤレスの距離検知手段は、一般的に店舗で使用されている防犯タグにより機器側装置を構成すると共に、防犯ゲートにより店舗側装置を構成し、防犯ゲートを所定許容領域の境界位置等の盗難危険領域に設置することにより盗難防止システムを構築することも可能である。この場合、防犯タグが所定間隔距離となる位置まで防犯ゲートに近づいたとき、特定周波数の磁場に反応し、警報を発生させることにより盗難を防止する。
【００１０】
しかしながら、このようなワイヤレスの距離検知手段は、電波方式又は磁気方式により構成されているため、来店した不正者がアルミ箔のラミネート等によりシールドされたバッグを持ち込み、該シールドバッグに電気機器を収容した状態で店外に持ち出すときは、距離検知手段が正常に機能せず、盗難防止の目的を達することができないという問題を提起する。
【００１１】
また、タブレット携帯端末機をケーシングに内装した状態で店舗内に移動自在に配置し、前記盗難防止システムの機器側装置をケーシングに設けた構成としている場合、不正者がタブレット携帯端末機をケーシングから取出して持ち去るときは、盗難防止システムの距離検知手段が正常に機能せず、盗難防止の目的を達することができないという問題を提起する。
【００１２】
このため、本発明は、ワイヤレスの距離検知に加えて、不正者がタブレット携帯端末機をケーシングから取り出そうとしたとき、警報を発生させることにより、盗難防止を可能としたシステムの提供を第１の課題とし、更に好ましい実施形態として、不正者が電気機器をバッグ等に収容したとき、それを検知して警報を発生することが可能となるように構成したシステムの提供を第２の課題とするものである。
【課題を解決するための手段】
【００１３】
そこで、本発明が第１の課題を解決するための手段として構成したところは、陳列状態から顧客が手にとって操作可能なタブレット携帯端末機をケーシングに内装した状態で店舗内に移動自在に配置する構成において、前記ケーシングに内装される機器側装置と、店舗の所定個所に設置される店舗側装置と、前記機器側装置と店舗側装置の所定間隔距離を検出するワイヤレスの距離検知手段と、前記所定間隔距離の検出によりタブレット携帯端末機と共に機器側装置が所定許容領域から持ち出されたと判定したとき警報を発生する警報手段を設けて成る盗難防止システムであり、前記ケーシングは、前記タブレット携帯端末機を挟んでサンドイッチ状に取着する背面側の基盤部と正面側の額縁状カバー部を相互に着脱自在に固着し、前記基盤部と額縁状カバー部の相互に接離検知手段を設けており、前記接離検知手段は、前記基盤部と額縁状カバー部が相互に離反させられたとき、該離反を検出することにより、前記警報手段により警報を発生させるように構成して成る点にある。
【００１４】
前記接離検知手段は、基盤部の内側に設けられたプッシュボタン式の接離センサにより構成することが好ましく、前記接離センサは、基盤部に額縁状カバーを合掌させたときプッシュボタンを押し込むことによりＯＦＦとされ、基盤部から額縁状カバーを離反させたときプッシュボタンをスプリングで突出方向に移動することによりＯＮとされ、ＯＮのとき検知信号を出力することにより前記警報手段により警報を発生させるように構成することが好ましい。
【００１５】
前記機器側装置は、前記距離検知手段の作動開始及び作動停止を可能にする距離検知ＯＮ／ＯＦＦ手段と、前記接離検知手段の作動開始及び作動停止を可能にする接離検知ＯＮ／ＯＦＦ手段を設けることが好ましく、前記距離検知ＯＮ／ＯＦＦ手段及び接離検知ＯＮ／ＯＦＦ手段を前記機器側装置から離れた位置で遠隔操作可能とするワイヤレスのリモートコントローラを備えることが好ましい。
【００１６】
本発明の第２の課題を解決するためには、前記機器側装置は、ケーシングの外側表面に照らされる光の明暗を検知する明暗センサを備えた明暗検知手段を設けることが好ましく、前記明暗センサが「暗」を検出したとき前記警報手段により警報を発生させるように構成することが好ましい。
【発明の効果】
【００１７】
本発明によれば、繋留ワイヤー等で拘束することなく、タブレット携帯端末機１をケーシング３に内装した状態で、顧客が自由に手にとって移動自在に操作可能となるように構成しているので、商品オーダーシステム等において、タブレット携帯端末機１を活用することができる。
【００１８】
そこで、不正者がタブレット携帯端末機１を店外に持ち去ろうとするときは、タブレット携帯端末機１を内装したケーシング３における機器側装置２のワイヤレスの距離検知手段１８により検知し、警報を発生することにより、盗難を防止する。
【００１９】
ところで、不正者がタブレット携帯端末機１を店外に持ち去るために、機器側装置２を内装したケーシング３からタブレット携帯端末機１を取り出そうとして、ケーシング３の基盤部３ａと額縁状カバー部３ｂをコジ開ける等、相互に離反させると、離反検知手段１７の接離センサ２５が該離反を検知し、警報手段１６から警報を発生することにより、盗難を防止する。
【００２０】
更に、不正者がタブレット携帯端末機１をケーシング３と共にバッグに収容することにより隠した状態で店外に持ち去ろうとするときは、ワイヤレスの距離検知手段１８が良好に作動しないおそれがあり、特に、アルミ箔のラミネート等によりシールドされたバッグに収容すると、ワイヤレスの距離検知手段１８による検知が至難となるが、前記機器側装置２に明暗検知手段１９を設けておけば、バッグに収容されたときの「暗」を検知することにより、警報音を発生するので、これにより好適に盗難を防止することが可能である。
【図面の簡単な説明】
【００２１】
【図１】本発明の１実施形態に係る盗難防止システムを構成する各装置を示す斜視図である。
【図２】タブレット携帯端末機とケーシングを分解した状態で示す斜視図である。
【図３】タブレット携帯端末機を内装したケーシングとスタンドを示す斜視図である。
【図４】機器側装置の電気的構成を示す説明図である。
【図５】リモートコントローラの機能を示す説明図である。
【図６】ケーシングに内装されたタブレット携帯端末機の使用状態を示しており、（Ａ）起立姿勢とした状態の側面図、（Ｂ）は伏臥姿勢とした状態の側面図である。
【発明を実施するための形態】
【００２２】
以下図面に基づいて本発明の好ましい実施形態を詳述する。
【００２３】
（タブレット携帯端末機）
図面において、タブレット携帯端末機１は、例えば、飲食店等において、各テーブルに応じて配置し陳列することにより、顧客が商品メニューを参照すると共に、所望の商品を発注するために供される。従って、タブレット携帯端末機１のそれ自体は、公知のものであり、既に飲食店等において商品オーダーシステムのために現に使用されているものが含まれる。
【００２４】
（ユーザ側のユニット）
図１に示すように、前記タブレット携帯端末機１は、後述する機器側装置２を設けたケーシング３に内装されており、該ケーシング３を設置可能としたスタンド４と組み合わせることによりユーザ側のユニットを構成し、例えば、飲食店の場合、各テーブルに各ユニットが配備される。この際、タブレット携帯端末機１は、ケーシング３に内装された状態で、顧客が自由に手にとって操作可能であり、不使用時にはスタンド４に設置される。
【００２５】
前記ケーシング３に内装されたタブレット携帯端末機１は、顧客が手にとって使用する他、図６（Ａ）に示すように、該ケーシング３をスタンド４に載置することによりディスプレイ１ａを起立状態で表示する起立姿勢Ｐ１と、図６（Ｂ）に示すように、該ケーシング３の背面をテーブルＴの上面に載置することによりディスプレイ１ａを伏臥状態で表示する伏臥姿勢Ｐ２との何れの状態でも使用できるように構成されている。
【００２６】
（店舗側のユニット）
図１に示すように、店舗の所定位置には店舗側機器５が設置され、前記機器側装置２を遠隔操作するワイヤレスのリモートコントローラ６と共に、店舗側のユニットを構成し、店舗管理者の支配下に置かれる。
【００２７】
（ケーシングの構成）
図２に示すように、ケーシング３は、タブレット携帯端末機１を挟んでサンドイッチ状に取着する背面側の基盤部３ａと正面側の額縁状カバー部３ｂを相互に合掌させた状態で、ビス等の固着具７により着脱可能に固着される。
【００２８】
前記ケーシング３の基盤部３ａは、図３に示すように、前記機器側装置２を内装するハウジング部８を設けると共に、前記ハウジング部８の両側に位置して前記基盤部３ａの背面から突出する台座部９、９を設けており、前記台座部９、９をテーブルＴの上面に載置することにより、図６（Ｂ）に示すような伏臥姿勢Ｐ２とされるように構成している。
【００２９】
この際、図６（Ｂ）に示すように、台座部９は、ケーシング３の背面がテーブルＴの上面に重なり合うことなく、浮き上がり状態で隙間を形成すると共に、角度θで示すような傾斜姿勢となるように、設置面にテーパ面９ａを設け、ディスプレイ１ａを視認しやすい傾斜姿勢に保持する。そして、台座部９、９により、ケーシング３の上り傾斜端部とテーブルＴの上面の間からハウジング部８に向けて店内の照明光が導かれる導光路１０が形成されるように構成している。
【００３０】
（ケーシングとスタンド）
タブレット携帯端末機１を内装したケーシング３は、前述のように、スタンド４に載置することによりディスプレイ１ａを起立状態で表示する起立姿勢Ｐ１を保持され、この状態で、タブレット携帯端末機１に内装された蓄電池を充電する。図示省略しているが、スタンド４は、電源ケーブルを介して店舗の交流電源に接続される。尚、スタンド４に充電可能な蓄電池を内装した構成としても良い。
【００３１】
図４に示すように、前記ケーシング３のハウジング部８に設けられた機器側装置２は、市販の電池等による電源１３を備えており、スタンド４に載置されたとき、該スタンド４の電力供給手段１１から供給される電力を受取り、電気機器１に内装された蓄電池を充電するための充電部１２を備えている。尚、スタンド４の電力供給手段１１と前記充電部１３の接続は、図示の場合、接触端子１１ａ、１２ａによる接触式を構成しているが、誘導コイルによる非接触式を構成しても良い。
【００３２】
前記充電部１２は、タブレット携帯端末機１に電力を供給する電力供給部１５を備えている。図示実施形態の場合、図２に示すように、ケーブル１５ａと接続端子１５ｂにより電力供給部１５を構成しており、ケーシング３に電気機器１を内装する際、前記接続端子１５ｂを電気機器１の端子に接続される。
【００３３】
（機器側装置の構成）
更に、図２に示すように、機器側装置２は、前記電源１３から電力の供給を受けることにより作動する警報発生手段１６と、接離検知手段１７と、距離検知手段１８と、明暗検知手段１９を備えている。
【００３４】
（警報発生手段）
前記警報発生手段１６は、前記接離検知手段１７と距離検知手段１８と明暗検知手段１９の何れかにより検知信号が入力されたとき、駆動されるように構成され、メモリに記憶した電子合成音のデジタル信号をアナログ変換することにより警報音として出力する警報音作成器２０と、出力された警報音を増幅する増幅器２１と、警報音の音量を制御する可変抵抗器２２と、警報音を外部に向けて放出するスピーカー等の警報音発生器２３を備えており、警報音の発生を停止可能とする警報ＯＮ／ＯＦＦ手段２４を設けている。
【００３５】
前記可変抵抗器２２の操作部２２ａは、図２に示すように、ケーシング３の内部に臨んで配置され、所定の治具によってのみ操作可能なように構成されている。従って、ケーシング３の外部から顧客等が勝手に操作することはできない。
【００３６】
前記警報ＯＮ／ＯＦＦ手段２４は、後述するように、リモートコントローラ６のワイヤレス操作により制御されるように構成されており、警報音が発生中に、一時停止を必要とするとき、店舗管理者が遠隔操作により警報ＯＮ／ＯＦＦ手段２４をＯＦＦすることができる。
【００３７】
（接離検知手段）
前記接離検知手段１７は、ケーシング３の基盤部３ａと額縁状カバー部３ｂが正常に合掌された状態から、不正者が分解することにより離反させたとき、これを検知して前記警報発生手段１６に検知信号を入力する接離センサ２５を備えている。接離センサ２５は、図示実施形態の場合、図２に示すように、基盤部３ａの縁部の内側に設けられたプッシュボタン式のセンサから成り、額縁状カバー部３ｂを合掌させたときプッシュボタン２５ａが押し込まれることによりＯＦＦとされ、額縁状カバー部３ｂを離反させたときプッシュボタン２５ａがスプリングで突出方向に移動させられることによりＯＮとされ、検知信号を出力するように構成されている。
【００３８】
好ましくは、前記接離センサ２５をＯＮ／ＯＦＦする接離検知ＯＮ／ＯＦＦ手段２６が設けられており、該接離検知ＯＮ／ＯＦＦ手段２６は、後述するように、リモートコントローラ６のワイヤレス操作により制御されるように構成されている。
【００３９】
（距離検知手段）
距離検知手段１８は、機器側装置２と店舗側装置５の相互において、両装置２、５の所定間隔距離を検出するワイヤレスの距離検知手段を構成している。従って、図示省略しているが、距離検知手段１８は、機器側装置２に設けられた手段と、店舗側装置５に設けられた手段の１組により構成されている。上述のように、このようなワイヤレスの距離検知手段は、例えば、機器側装置２と店舗側装置５の一方に設けた発信機から発信される信号を他方に設けた受信機により受信するように構成することができ、機器側装置２が盗難危険領域に設置された店舗側装置５に向けて移動させられると、受信機が発信機の信号を受信することにより、所定間隔距離を検出して異常を判定し、警報発生手段１６に検知信号を入力することにより、警報音を発生させる。図例の場合、店舗側装置５に発信機を設け、機器側装置２に受信機を設けた構成を例示し、該受信機により距離センサ２７が構成されているとみなし、図４に示すように、該距離センサ２７を距離検知手段１８に設けた構成を図示している。
【００４０】
或いは、前記ワイヤレスの距離検知手段は、一般的に店舗で使用されている防犯タグを機器側装置２に設け、防犯ゲートにより店舗側装置５を構成しても良く、防犯タグが防犯ゲートに向けて所定間隔距離まで近づいたとき、特定周波数の磁場に反応することにより、防犯タグから警報発生手段１６に検知信号を入力し、警報音を発生させるように構成しても良い。従って、この場合、機器側装置２に防犯タグを設ければ良いので、該防犯タグにより距離センサ２７が構成されているとみなし、図４に示すように、該距離センサ２７を距離検知手段１８に設けた構成を図示している。
【００４１】
好ましくは、前記距離センサ２７をＯＮ／ＯＦＦする距離検知ＯＮ／ＯＦＦ手段２８が設けられており、該距離検知ＯＮ／ＯＦＦ手段２８は、後述するように、リモートコントローラ６のワイヤレス操作により制御されるように構成されている。
【００４２】
（明暗検知手段）
前記明暗検知手段１９は、受光素子から成るフォトセンサ等の明暗センサ２９を備えており、受光状態を「明」とすると共に、非受光状態を「暗」として、「暗」を検知したとき、異常を判定し、警報発生手段１６に検知信号を入力することにより、警報音を発生させる。
【００４３】
前記明暗センサ２９は、図３及び図６に示すように、ハウジング部８の内部から上述の導光路１０に向けて露出するように設けられている。従って、ケーシング３に内装された電気機器１が正常に使用されている限り、明暗センサ２９は、受光状態にあり、異常を判定することはない。即ち、図６（Ａ）に示すように、スタンド４に起立保持された起立姿勢Ｐ１のみならず、テーブルＴの上面に載置した伏臥姿勢Ｐ２の状態でも、台座部９、９により形成された導光路１０を進入する光を好適に受光し、誤って警報音を発生させることはない。
【００４４】
しかしながら、不正者が窃盗の目的で、ケーシング３に内装された状態でタブレット携帯端末機１をシールドバッグ等のバッグに収容すると、明暗センサ２９は、非受光状態により「暗」を検出し、警報発生手段１６に検知信号を入力することにより、警報音を発生させる。
【００４５】
図示実施形態の場合、前記明暗センサ２９をＯＮ／ＯＦＦする明暗検知ＯＮ／ＯＦＦ手段３０が設けられており、該距離検知ＯＮ／ＯＦＦ手段３０は、後述するように、リモートコントローラ６のワイヤレス操作により制御されるように構成されている。
【００４６】
この点に関して、リモートコントローラ６は、後述するように、上記の接離検知ＯＮ／ＯＦＦ手段２６及び距離検知ＯＮ／ＯＦＦ手段２８から独立して、単独で明暗検知ＯＮ／ＯＦＦ手段３０を制御可能とする明暗検知専用の操作手段（図５のボタンＢ）を設けている。そこで、例えば、店舗でコンサート等のイベントを所定時間行う等、店舗内の照明を暗くした状態で営業を行う場合、店舗管理者が明暗検知ＯＮ／ＯＦＦ手段３０をＯＦＦにすることにより、明暗センサ２９の機能を停止させ、暗闇状態で電気機器１を使用しても、警報音が発生しないように制御することが可能である。
【００４７】
この際、図４に示すように、明暗検知手段１９は、明暗センサ２９のＯＮ／ＯＦＦに対応してＯＮ／ＯＦＦされる表示灯３１を設けており、ケーシング３の外部から表示灯３１を視認することにより、明暗センサ２９の作動状態又は停止状態を確認できるように構成することが好ましい。
【００４８】
（リモートコントローラの構成と作用）
図５に示すように、機器側装置２をワイヤレスで遠隔操作するリモートコントローラ６は、Ａ、Ｂ、Ｃ、Ｄで示す４個の操作ボタンを備えている。
【００４９】
前記ボタンＡは、上記警報ＯＮ／ＯＦＦ手段２４と接離検知ＯＮ／ＯＦＦ手段２６と距離検知ＯＮ／ＯＦＦ手段２８と明暗検知ＯＮ／ＯＦＦ手段３０の全てを同時にＯＮにする全部ＯＮ操作手段３２を構成している。従って、店舗が営業を開始するとき、店舗管理者は、店舗側機器５を作動させると共に、リモートコントローラ６のボタンＡを押すだけで、機器側装置２における接離検知手段１７と距離検知手段１８と明暗検知手段１９による全ての盗難防止機能の作動を開始させ、警報発生手段１６を作動可能な状態で待機させることができる。
【００５０】
タブレット携帯端末機１は、ケーシング３に内装された状態で、繋留ワイヤー等により拘束されていないので、顧客が自由に手にとって移動させながら容易に操作可能であり、図６（Ａ）に示すようにスタンド４に設置した状態でも操作可能である。スタンド４に設置したとき、充電部１２を介して電気機器１に内装された蓄電池が充電される。
【００５１】
タブレット携帯端末機１は、図６（Ａ）に示すように、ケーシング３をスタンド４に載置することによりディスプレイ１ａを起立状態で表示する起立姿勢Ｐ１と、図６（Ｂ）に示すように、該ケーシング３の背面をテーブルＴの上面に載置することによりディスプレイ１ａを伏臥状態で表示する伏臥姿勢Ｐ２の何れの状態でも操作可能であり、この状態で、明暗センサ２９は、正常な受光状態にあるので、警報発生手段１６を作動させることはない。
【００５２】
不正者がケーシング３からタブレット携帯端末機１を抜き取るため、ビス等の固着具７を離脱させ、基盤部３ａと額縁状カバー部３ｂを離反させると、接離センサ２５が作動して警報発生手段１６から警報音を発生する。
【００５３】
不正者がタブレット携帯端末機１をケーシング３に内装された状態で持ち去るため、店舗の所定許容領域の外に移動すると、機器側装置２と店舗側機器５の相互により構成された距離検知手段１８が作動して警報発生手段１６から警報音を発生する。
【００５４】
不正者がタブレット携帯端末機１をケーシング３に内装された状態で持ち去るため、バッグに収容したときは、明暗検知手段１９が作動して警報発生手段１６から警報音を発生する。この場合、不正者がアルミ箔のラミネート等でシールドされたシールドバッグに収容したとき、前記距離検知手段１８は作動しないおそれがあるが、明暗検知手段１９が作動するので、好適に盗難を防止することができる。
【００５５】
不正者の不正行為があったとき、警報音は、当該ケーシング３に内装された機器側装置２の警報発生手段１６から発せられる。つまり、不正者の手元から不正者自身に警告すると共に、鳴り響くことにより店員等に通告する。警報音の発生源を探求することにより、店員等は、多数の顧客により混雑した店舗においても、何れの電気機器から警報が発せられているのか容易に特定することができる。
【００５６】
前記ボタンＢは、上記明暗検知ＯＮ／ＯＦＦ手段３０だけを独立してＯＦＦにする明暗検知ＯＦＦ専用操作手段３３を構成している。従って、例えば、店舗でコンサート等のイベントを所定時間行う等、店舗内の照明を暗くした状態で営業を行う場合、店舗管理者が明暗検知ＯＮ／ＯＦＦ手段３０をＯＦＦにすることにより、明暗センサ２９の機能を停止させ、暗闇状態で電気機器１を使用しても、警報音が発生しないように制御することができる。このように明暗検知手段１９がＯＦＦとされた状態でも、接離検知手段１７及び距離検知手段１８はＯＮの状態で待機しているので、両手段１７、１８の防犯機能は失われていない。尚、再度、明暗センサ２９を作動状態とするためには、前記全部ＯＮ操作手段３２を構成するボタンＡを押せば良い。
【００５７】
前記ボタンＣは、上記警報ＯＮ／ＯＦＦ手段２４だけを独立してＯＦＦにする警報ＯＦＦ専用操作手段３４を構成している。従って、不正者の不正行為により警報発生手段１６から警報音が発せられ、店員等が不正者を特定した後は、ボタンＣを押すことにより、直ちに警報音を停止させ、他の顧客の不快感等を防止できる。再度、警報ＯＮ／ＯＦＦ手段２４をＯＮにするためには、前記全部ＯＮ操作手段３２を構成するボタンＡを押せば良い。
【００５８】
前記ボタンＤは、上記警報ＯＮ／ＯＦＦ手段２４と接離検知ＯＮ／ＯＦＦ手段２６と距離検知ＯＮ／ＯＦＦ手段２８と明暗検知ＯＮ／ＯＦＦ手段３０の全てを同時にＯＦＦにする全部ＯＦＦ操作手段３５を構成している。従って、店舗が営業を終了するとき等、店舗管理者は、リモートコントローラ６のボタンＤを押すだけで、機器側装置２における全部の盗難防止機能を停止させることができる。
【符号の説明】
【００５９】
１  タブレット携帯端末機
１ａ  ディスプレイ
２  機器側装置
３  ケーシング
３ａ  基盤部
３ｂ  額縁状カバー部
４  スタンド
５  店舗側機器
６  リモートコントローラ
７  固着具
８  ハウジング部
９  台座部
１０  導光路
１１  電力供給手段
１１ａ  端子
１２  充電部
１２ａ  端子
１３  電源
１５  電力供給部
１５ａ  ケーブル
１５ｂ  接続端子
１６  警報発生手段
１７  接離検知手段
１８  距離検知手段
１９  明暗検知手段
２０  警報音作成器
２１  増幅器
２２  可変抵抗器
２２ａ  操作部
２３  警報音発生器
２４  警報ＯＮ／ＯＦＦ手段
２５  接離センサ
２５ａ  プッシュボタン
２６  接離検知ＯＮ／ＯＦＦ手段
２７  距離センサ
２８  距離検知ＯＮ／ＯＦＦ手段
２９  明暗センサ
３０  明暗検知ＯＮ／ＯＦＦ手段
３１  表示灯
３２  全部ＯＮ操作手段
３３  明暗検知ＯＦＦ専用操作手段
３４  警報ＯＦＦ専用操作手段
３５  全部ＯＦＦ操作手段
【図１】
2018005935.tif 000003
【図２】
2018005935.tif 000004
【図３】
2018005935.tif 000005
【図４】
2018005935.tif 000006
【図５】
2018005935.tif 000007
【図６】
2018005935.tif 000008